(57)【要約】      （修正有）【課題】食品の種類に応じて保冷と保温を選択的に行うことができるようにした食品用保冷保温容器を提供する。【解決手段】断熱構造を有する上部開口状の容器本体２と、容器本体の上部開口を開閉自在に施蓋する蓋本体３とから成る食品容器において、蓋本体の下面に装着体４を着脱自在に固着しており、装着体は、上下に積層状に形成された保温手段１５と保冷手段１６を構成すると共に、保冷手段を下向きとする保冷姿勢と、保温手段を下向きとする保温姿勢の２つの姿勢を選択自在とするように構成され、蓋本体と装着体の相互に、装着体を保冷姿勢とした状態で固着する第１固着手段１７と、装着体を保温姿勢とした状態で固着する第２固着手段１８を設けている。【選択図】図１
0003187215.tif 000002
【実用新案登録請求の範囲】
【請求項１】
断熱構造を有する上部開口状の容器本体(2)と、前記容器本体の上部開口を開閉自在に施蓋する蓋本体(3)とから成る食品容器において、前記蓋本体(3)の下面に装着体(4)を着脱自在に固着しており、
前記装着体(4)は、上下に積層状に形成された保温手段(15)と保冷手段(16)を構成すると共に、保冷手段(16)を下向きとする保冷姿勢(P1)と、保温手段(15)を下向きとする保温姿勢(P2)の２つの姿勢を選択自在とするように構成され、
前記蓋本体(3)と装着体(4)の相互に、装着体を保冷姿勢(P1)とした状態で固着する第１固着手段(17)と、装着体を保温姿勢(P2)とした状態で固着する第２固着手段(18)を設けて成ることを特徴とする食品用保冷保温容器。
【請求項２】
前記装着体(4)は、カセット(14)の内部に積層状に内装した断熱材(15a)と保冷剤(16a)のそれぞれにより保温手段(15)と保冷手段(16)を構成して成ることを特徴とする請求項１に記載の食品用保冷保温容器。
【請求項３】
前記蓋本体(3)により容器本体(2)の開口を施蓋した状態で、保冷姿勢(P1)又は保温姿勢(P2)とされた装着体(4)は、保冷手段(16)又は保温手段(15)を容器本体(2)の開口内部に挿入するように構成されて成ることを特徴とする請求項１又は２に記載の食品用保冷保温容器。
【請求項４】
前記装着体(4)は、前記蓋本体(3)により容器本体(2)の開口を施蓋した状態で、容器本体(2)の開口部に嵌入される栓部(23)を構成して成ることを特徴とする請求項１、２又は３に記載の食品用保冷保温容器。
【請求項５】
前記装着体(4)は、カセット(14)の周壁に上下離間して第１雄ネジ(21)と第２雄ネジ(22)を形成し、
前記蓋本体(3)の下面に垂設した筒壁(19)の雌ネジ(20)に対して、それぞれ選択的に螺着される第１雄ネジ(21)と第２雄ネジ(22)により前記第１固着手段(17)と第２固着手段(18)を構成して成ることを特徴とする請求項２、３又は４に記載の食品用保冷保温容器。
【考案の詳細な説明】
【技術分野】
【０００１】
本考案は、食品の種類に応じて保冷と保温を選択的に行うことができるようにした食品用保冷保温容器に関する。
【背景技術】
【０００２】
ランチジャーその他の携帯可能な食品用断熱容器は、ステンレス製の真空二重壁を有する容器本体に対して、断熱構造を有する蓋本体を開閉自在に施蓋することにより、断熱的に密閉された保存空間に米飯等の食品を保存するのが一般的である。これにより、米飯等は、炊きたての状態で保温可能とされる。
【０００３】
これに対して、冷製スープや生野菜サラダ等の食品は、保冷状態で保存することが望ましく、このため、本出願人は、保冷剤を装填したカセットを蓋本体の下面に装着し、該蓋本体により容器本体を施蓋した状態で、容器の内部を保冷するようにした食品用保冷容器を提案した。
【先行技術文献】
【特許文献】
【０００４】
【特許文献１】特許第２８７９２０４号公報
【考案の概要】
【考案が解決しようとする課題】
【０００５】
上述のように、携帯可能な食品容器は、食品の種類により、断熱保温構造とした食品容器と、保冷剤により保冷可能とした食品容器の２種類が提供されており、ユーザは、必要に応じて、２種類の食品容器を使い分けているのが現状である。
【０００６】
しかしながら、何れの食品容器においても、容器本体及び蓋本体は、基本的構成を共通させることが可能であるから、２種類の食品容器を保有した上で使い分けることは、不便であると共に不経済である。
【課題を解決するための手段】
【０００７】
本考案は、上記課題を解決した食品用保冷保温容器を提供するものであり、その手段として構成したところは、断熱構造を有する上部開口状の容器本体と、前記容器本体の上部開口を開閉自在に施蓋する蓋本体とから成る食品容器において、前記蓋本体の下面に装着体を着脱自在に固着しており、前記装着体は、上下に積層状に形成された保温手段と保冷手段を構成すると共に、保冷手段を下向きとする保冷姿勢と、保温手段を下向きとする保温姿勢の２つの姿勢を選択自在とするように構成され、前記蓋本体と装着体の相互に、装着体を保冷姿勢とした状態で固着する第１固着手段と、装着体を保温姿勢とした状態で固着する第２固着手段を設けて成る点にある。
【０００８】
前記装着体は、カセットの内部に積層状に内装した断熱材と保冷剤のそれぞれにより保温手段と保冷手段を構成することができる。
【０００９】
本考案の好ましい実施形態は、前記蓋本体により容器本体の開口を施蓋した状態で、保冷姿勢又は保温姿勢とされた装着体が保冷手段又は保温手段を容器本体の開口内部に挿入するように構成されている。
【００１０】
前記装着体は、前記蓋本体により容器本体の開口を施蓋した状態で、容器本体の開口部に嵌入される栓部を構成することが好ましい。
【００１１】
前記装着体は、前記カセットの周壁に上下離間して第１雄ネジと第２雄ネジを形成することが好ましく、これにより、前記蓋本体の下面に垂設した筒壁の雌ネジに対して、それぞれ選択的に螺着される第１雄ネジと第２雄ネジにより前記第１固着手段と第２固着手段を構成する。
【考案の効果】
【００１２】
本考案によれば、食品容器１に冷製スープや生野菜サラダ等の要保冷食品を収容する場合は、蓋本体３に装着体４を保冷姿勢Ｐ１として固着すれば、保冷手段１６により容器本体２の内部を保冷することができ、その一方において、食品容器１に米飯や味噌汁等の要保温食品を収容する場合は、蓋本体３に装着体４を保温姿勢Ｐ２として固着すれば、保温手段１５により容器本体２の内部を保温することができるという効果がある。
【００１３】
この際、蓋本体３により容器本体２の開口を施蓋した状態で、保冷姿勢Ｐ１又は保温姿勢Ｐ２とした装着体４が保冷手段１６又は保温手段１５を容器本体２の開口内部に挿入されるように構成しておけば、保冷効果又は保温効果が高いものとなる。
【００１４】
更に、容器本体２の開口内部に挿入される装着体４に栓部２３を形成すれば、容器本体２の開口部の断熱遮蔽効果が向上し、保冷状態又は保温状態を長時間持続することが可能となる。
【００１５】
そして、装着体４を構成するカセット１４の周壁に上下離間して形成した第１雄ネジ２１と第２雄ネジ２２を選択的に蓋本体３の雌ネジ２０に螺着するように構成すれば、装着体４を保冷姿勢Ｐ１と保温姿勢Ｐ２の間で選択的に固着するための構造をシンプルに構成することができると共に、その固着作業も簡単容易であり、しかも、保冷及び保温を要しない場合は、装着体４を取外した状態で、蓋本体３を通常の蓋手段と同様に容器本体２に施蓋できるという効果がある。
【図面の簡単な説明】
【００１６】
【図１】本考案の第１実施形態を示す断面図である。
【図２】本考案の第１実施形態に関し、装着体を保冷姿勢と保温姿勢から選択した姿勢で蓋本体に固着する方法を説明する断面図である。
【図３】本考案の第２実施形態を示す断面図である。
【図４】本考案の第２実施形態に関し、装着体を保冷姿勢と保温姿勢から選択した姿勢で蓋本体に固着する方法を説明する断面図である。
【考案を実施するための形態】
【００１７】
以下図面に基づいて本考案の好ましい実施形態を詳述する。
【００１８】
＜第１実施形態＞
図１及び図２は、本考案の第１実施形態を示しており、携帯可能なランチポット等を構成する食品容器１は、ステンレス製の真空二重壁２ａ、２ｂにより断熱構造とされた上部開口状の容器本体２と、前記容器本体２の上部開口を開閉自在に施蓋する蓋本体３により構成されており、前記蓋本体３の下面に装着体４を着脱自在に固着している。そこで、第１実施形態の場合、容器本体２は、米飯や味噌汁等の要保温食品と、冷製スープや生野菜サラダ等の要保冷食品を選択的に収容可能としている。
【００１９】
蓋本体３は、下蓋３ａと上蓋３ｂを備えている。下蓋３ａは、ネジ手段５を介して容器本体２の開口縁部の外周に着脱自在に螺着される周壁５と、容器本体２の開口部を上方から被う蓋壁７を一体成形しており、前記ネジ手段５を螺着した状態で容器本体２の開口縁に密着する環状のパッキン８を備えている。上蓋３ｂは、下蓋３ａの起立壁９の外周にネジ手段１０を介して着脱自在に螺着され、下蓋３ａの蓋壁７の上に折畳み式スプーン又はフォーク等の食用補助具１１を格納するための格納室１２を区成する。尚、上蓋３ｂにはブリッジ状の提手１３が設けられている。
【００２０】
前記蓋本体３の下面に着脱自在に固着される装着体４は、カセット１４の内部に断熱材１５ａと保冷剤１６ａを積層状に内装し、これにより、断熱材１５ａを含む保温手段１５と、保冷剤１６ａを含む保冷手段１６を構成しており、図２に示すように、保冷手段１６を下向きとする保冷姿勢Ｐ１と、保温手段１５を下向きとする保温姿勢Ｐ２の２つの姿勢を選択自在とするように構成されている。
【００２１】
図示実施形態の場合、前記保温手段１５は、発泡樹脂材のようなポーラス素材その他の断熱材１５ａにより形成され、これにより、容器本体２に収容した炊きたての米飯等の高温食品を外気から断熱する消極的保温手段を構成している。しかしながら、保温手段１５は、断熱材１５ａに代えて、化学反応による発熱手段や高温熱を蓄熱する蓄熱剤を内装することにより、積極的保温手段を構成しても良い。
【００２２】
これに対して、保冷手段１６は、冷蔵庫等で冷却することにより冷却熱を蓄熱する保冷剤１６ａにより構成することが好ましい。
【００２３】
そこで、前記蓋本体３と装着体４の相互には、装着体４を保冷姿勢Ｐ１とした状態で固着する第１固着手段１７と、装着体４を保温姿勢Ｐ２とした状態で固着する第２固着手段１８が設けられている。
【００２４】
図示実施形態の場合、蓋本体３の周壁６の内側にパッキン８を保持する筒壁１９を前記蓋壁７の下面に垂設し、該筒壁１９に雌ネジ２０を設けており、これに対して、装着体４を構成するカセット１４の周壁に上下離間して第１雄ネジ２１と第２雄ネジ２２を形成し、前記雌ネジ２０に対して、それぞれ選択的に螺着される第１雄ネジ２１と第２雄ネジ２２により前記第１固着手段１７と第２固着手段１８を構成している。
【００２５】
装着体４は、図示のように分厚く形成することが好ましく、装着体４が固着された蓋本体３により容器本体２の開口を施蓋したとき、保冷姿勢Ｐ１又は保温姿勢Ｐ２とされた装着体４の保冷手段１６又は保温手段１５が容器本体２の開口内部に挿入されるように構成している。
【００２６】
従って、容器本体２に要冷却食品（冷製スープや生野菜サラダ等）を収容して携帯する場合は、保冷姿勢Ｐ１とした装着体４を第１固着手段１７により蓋本体３の下面に固着し、その状態で蓋本体３により容器本体２を施蓋すれば、保冷手段１６が容器本体２の開口内部に挿入され、要冷却食品を保冷することができる。
【００２７】
容器本体２に要保温食品（炊きたての米飯や高温の味噌汁等）を収容して携帯する場合は、保温姿勢Ｐ２とした装着体４を第２固着手段１８により蓋本体３の下面に固着し、その状態で蓋本体３により容器本体２を施蓋すれば、保温手段１５が容器本体２の開口内部に挿入され、要保温食品を保温することができる。
【００２８】
図示の好ましい第１実施形態の場合、装着体４は、蓋本体３により容器本体２の開口を施蓋し、保温手段１５又は保冷手段１６を容器本体２の開口内部に挿入したとき、容器本体２の開口部に嵌入される栓部２３を備えている。栓部２３は、第１固着手段１７と第２固着手段１８の間に位置してカセット１４の周壁を拡径することにより形成され、図１に示すように、容器本体２の開口部に密に近接して嵌入されるように構成することが好ましく、これにより容器本体２の内部を断熱的に保持する。
【００２９】
＜第２実施形態＞
図３及び図４は、本考案の第２実施形態を示しており、携帯可能なランチジャー等を構成する食品容器１は、ステンレス製の真空二重壁２ａ、２ｂにより断熱構造とされた上部開口状の容器本体２と、前記容器本体２の上部開口を開閉自在に施蓋する蓋本体３により構成されており、前記蓋本体３の下面に装着体４を着脱自在に固着している。そこで、第２実施形態の場合、容器本体２は、小容器２４ａ、２４ｂ、２４ｃを積層状態で収納可能としており、これらの小容器２４に、米飯や味噌汁等の要保温食品と、冷製スープや生野菜サラダ等の要保冷食品を選択的に収容可能としている。
【００３０】
蓋本体３及び装着体４の構成は、上記第１実施形態と概ね同様であるから、共通する構成部分に同一符号を付して表すことにより上記説明を援用し、以下に、異なる構成部分だけを説明する。
【００３１】
第２実施形態の場合、上述のようなカセット１４の周壁を拡径した栓部２３を設けていない。従って、図示のようにカセット１４の周壁と容器本体２の開口縁部の間に比較的広い隙間が形成されている。
【００３２】
前記隙間は、形成されたままの状態としても良いが、容器本体２の内部を可及的断熱性の高いものとする必要がある場合は、図例のように、カセット１４の周壁に嵌着自在なパッキン２５を設け、これにより栓部２３ａを構成すれば良い。パッキン２５は、第１雄ネジ２１と第２雄ネジ２２に対して選択的に取付けることができ、これにより装着体４を保冷姿勢Ｐ１と保温姿勢Ｐ２の何れの姿勢として容器本体２の開口内部に挿入した場合でも、パッキン２５により前記隙間を塞ぐことが可能となる。
【符号の説明】
【００３３】
１  食品容器
２  容器本体
２ａ、２ｂ  真空二重壁
３  蓋本体
３ａ  下蓋
３ｂ  上蓋
４  装着体
５  ネジ手段
６  周壁
７  蓋壁
８  パッキン
９  起立壁
１０  ネジ手段
１１  食用補助具
１２  格納室
１３  提手
１４  カセット
１５  保温手段
１５ａ  断熱材
１６  保冷手段
１６ａ  保冷剤
１７  第１固着手段
１８  第２固着手段
１９  筒壁
２０  雌ネジ
２１  第１雄ネジ
２２  第２雄ネジ
２３  栓部
２４  小容器
２５  パッキン
【図１】
0003187215.tif 000003
【図２】
0003187215.tif 000004
【図３】
0003187215.tif 000005
【図４】
0003187215.tif 000006